(57)【要約】【課題】カバーの装着を容易に行うことが可能であり、又、切欠部を露出させないことで美観を損ねる恐れをなくすことが可能な機器収納キャビネットを提供する。【解決手段】上下側面板の両端部と前面とのそれぞれの断面が略Ｌ字状となるように形成した両端部曲げ部及び前面曲げ部と、両端部曲げ部は前面曲げ部より曲げ寸法を大きくすると共に、前面を前面曲げ部と同じ高さとなるように曲げ加工を施して接合させた接合部と、接合部の箇所の前記カバーと対向する位置に設けた切欠部とを備え、カバーは、本体と対向する位置に両端部曲げ部を挿入するための挿入部を備えた。【選択図】図２
2011119622.tif 000002
【特許請求の範囲】
【請求項１】
上下側面板及び底板からなる本体と、該本体の開放された前面及び左右側面を閉塞するカバーとからなり、前記上下側面板の両端部と前面とのそれぞれの断面が略Ｌ字状となるように形成した両端部曲げ部及び前面曲げ部と、該両端部曲げ部は前記前面曲げ部より曲げ寸法を大きくすると共に、前面を前記前面曲げ部と同じ高さとなるように曲げ加工を施して接合させた接合部と、該接合部の箇所の前記カバーと対向する位置に設けた切欠部とを備え、前記カバーは、前記本体と対向する位置に前記両端部曲げ部を挿入するための挿入部を備えた事を特徴とする機器収納キャビネット。
【請求項２】
前記本体において、前記カバーとの接触面に高摺動性部材を貼り付けたことを特徴とする請求項１に記載の機器収納キャビネット。
【発明の詳細な説明】
【技術分野】
【０００１】
本発明は、機器を収納するキャビネット、特にカバー差込式のキャビネットに関するものである。
【背景技術】
【０００２】
従来、機器収納キャビネットには特許文献１に示すような、上下側面板５２及び底板５３から成る本体５１と、前面板及び左右側面板を有し前記本体５１の開放された前面及び左右側面を閉塞するカバー５４とを備え、前記前面板の上下何れか一方に前記本体５１に係止操作する平面ハンドルを設け、他方に握持手段を設けたものがある。
【０００３】
しかし、特許文献１に記載されているような機器収納キャビネットでは、カバーを装着する際にはカバーを傾ける必要があるため縦方向にスペースが必要となるという欠点がある。
【０００４】
この改善策として、本体開口の周縁を断面がＬ字状となるように形成し、カバーを前面からスライドさせて取り付ける方法が考えられる。
【先行技術文献】
【特許文献】
【０００５】
【特許文献１】特開２００４−０３９７５０号公報
【発明の概要】
【発明が解決しようとする課題】
【０００６】
しかし、上記した方法では、仮に本体開口の周縁をＬ字状に形成してカバーを前面から取り付ける場合でも、カバーの位置がうまく決まらず、嵌め込みが難しいという欠点がある。又、何度か嵌め込む作業を繰り返すこととなるため、作業効率が低下する恐れがあるという欠点がある。
【０００７】
又、カバーの取付作業を容易にするためにカバーに誘い込み用の切欠部等を設けることが考えられるが、この場合には切欠部がキャビネット外部に露出することとなり、外観を損ねる恐れがあるという欠点がある。
【課題を解決するための手段】
【０００８】
上記した課題を解決するためになされた本発明の機器収納キャビネットは、上下側面板及び底板からなる本体と、この本体の開放された前面及び左右側面を閉塞するカバーとからなり、上下側面板の両端部と前面とのそれぞれの断面が略Ｌ字状となるように形成した両端部曲げ部及び前面曲げ部と、両端部曲げ部は前面曲げ部より曲げ寸法を大きくすると共に、前面を前面曲げ部と同じ高さとなるように曲げ加工を施して接合させた接合部と、接合部の箇所の前記カバーと対向する位置に設けた切欠部とを備え、カバーは、本体と対向する位置に両端部曲げ部を挿入するための挿入部を備えた。
【発明の効果】
【０００９】
本発明の機器収納キャビネットによれば、カバーを前面からスライドさせて取り付けるため縦方向にスペースがない場合でも使用することが可能である。
【００１０】
又、曲げ寸法を変えて設けた前面曲げ部と両端部曲げ部の前面との接合部に設けた切欠部が誘いの役割となるためカバーを容易に装着することが可能である。又、本体に誘いを設けるためカバーに施す加工数を少なくする事が可能である。
【００１１】
又、カバーを装着すれば本体に設けた切欠部は露出しないため、美観を損ねる恐れをなくすことが可能である。
【図面の簡単な説明】
【００１２】
【図１】図１は本発明の実施例１における機器収納キャビネットの分解斜視図である。
【図２】図２は図１におけるＡ方向から見た際の要部拡大斜視図である。
【図３】図３は図１におけるＢ方向から見た際のカバー装着時の要部拡大斜視図である。
【図４】図４は本発明の実施例２における図２と同じ方向から見た際の要部拡大斜視図である。
【図５】図５は図２及び図４における、図１のＸ−Ｘで切った際の要部拡大断面図である。
【図６】図６は従来技術における、特許文献１に記載の電気機器収納箱の分解斜視図である。
【発明を実施するための形態】
【００１３】
本発明では、本体に誘いを設けることで切欠部の露出を防ぎ、美観を損ねることなくカバーの容易な装着を可能にした。
【実施例１】
【００１４】
上下側面板２、１２、２２及び底板３、１３、２３からなる本体１、１１、２１と、この本体１、１１、２１の開放された前面及び左右側面を閉塞するカバー４、２４とからなり、上下側面板２、１２、２２の両端部と前面とのそれぞれの断面が略Ｌ字状となるように形成した両端部曲げ部５、１５、２５及び前面曲げ部６、１６、２６と、両端部曲げ部５、１５、２５は前面曲げ部６、１６、２６より曲げ寸法を大きくすると共に、前面を前面曲げ部６、１６、２６と同じ高さとなるように段差をつけた曲げ加工を施して接合させた接合部７、１７、２７と、接合部７、１７、２７の箇所の前記カバー４、２４と対向する位置に設けた切欠部８、１８、２８とを備え、カバー４、２４は、本体１、１１、２１と対向する位置に両端部曲げ部５、１５、２５を挿入するための挿入部９、２９を備えた。これにより、カバー４、２４装着時において、曲げ寸法を変えて設けた前面曲げ部６、１６、２６と両端部曲げ部５、１５、２５の前面との接合部７、１７、２７に設けた切欠部８、１８、２８が誘いとなるためカバー４、２４の容易な装着が可能となる。又、本体１、１１、２１に誘いを設けるためカバー４、２４に施す加工数を少なくする事が可能となる。又、カバー４、２４を前面からスライドさせて取り付けるため縦方向にスペースがない場合でも使用することが可能となる。又、カバー４、２４を装着すれば本体１、１１、２１に設けた切欠部８、１８、２８は露出しないため、美観を損ねる恐れをなくすことが可能となる。又、曲げ部６、１６、２６のカバー４、２４との接触面に樹脂などによる高摺動性部材１０、２０、３０を貼り付けることで、よりカバー４、２４の容易な装着が可能である。
【実施例２】
【００１５】
上下側面板３２、４２及び底板３３からなる本体３１、４１と、この本体３１、４１の開放された前面及び左右側面を閉塞するカバーとからなり、上下側面板３１、４２の両端部と前面とのそれぞれの断面が略Ｌ字状となるように形成した両端部曲げ部３５及び前面曲げ部３６と、両端部曲げ部３５は前面曲げ部３６より曲げ寸法を大きくすると共に、前面を前面曲げ部３６と同じ高さとなるように傾斜をつけた曲げ加工を施して接合させた接合部３７と、接合部３７の箇所の前記カバーと対向する位置に設けた切欠部３８とを備え、カバーは、本体３１、４１と対向する位置に両端部曲げ部３５を挿入するための挿入部を備えた。これにより、カバー装着時において、曲げ寸法を変えて設けた前面曲げ部３６と両端部曲げ部３５の前面との接合部３７に設けた切欠部３８が誘いとなり、かつ接合部３７を傾斜に設けたためカバーの容易な装着が可能となる。又、本体３１、４１に誘いを設けるためカバーに施す加工数を少なくする事が可能となる。又、カバーを前面からスライドさせて取り付けるため縦方向にスペースがない場合でも使用することが可能となる。又、カバーを装着すれば本体３１、４１に設けた切欠部３８は露出しないため、美観を損ねる恐れをなくすことが可能となる。又、曲げ部３６のカバーとの接触面に樹脂などによる高摺動性部材４０、５０を貼り付けることで、よりカバーの容易な装着が可能となる。
【００１６】
なお、両端部曲げ部及び前面曲げ部の接合部については本実施例における段差又は傾斜に限定されるものではなく、高低差のある両端部曲げ部と前面曲げ部とを接合させる構造であって、本発明の趣旨を変更しない範囲で適宜変更可能である。
【産業上の利用可能性】
【００１７】
カバーを前面からスライドさせて取り付けるため縦方向にスペースがない場合でも使用することが可能であり、本体に誘いを設けることでカバーの装着を容易にすることが可能となる。
【符号の説明】
【００１８】
１、１１、２１、３１、４１、５１    本体
２、１２、２２、３２、４２、５２    上下側面板
３、１３、２３、３３、      ５３    底板
４、      ２４、            ５４    カバー
５、１５、２５、３５          両端部曲げ部
６、１６、２６、３６、４６    前面曲げ部
７、１７、２７、３７          接合部
８、１８、２８、３８          切欠部
９、      ２９                挿入部
１０、２０、３０、４０、５０    高摺動性部材
【図１】
2011119622.tif 000003
【図２】
2011119622.tif 000004
【図３】
2011119622.tif 000005
【図４】
2011119622.tif 000006
【図５】
2011119622.tif 000007
【図６】
2011119622.tif 000008